(57)【要約】      （修正有）【課題】交通機関を利用する際、長時間携帯電話を使用することによる手と頸部の不調を引き起こすことのない携帯電話ホルダー付き首枕を提供する。【解決手段】携帯電話ホルダー付き首枕は、開口が前方に向くＵ型枕本体１と、Ｕ型枕本体１の片端が前方に伸びて形成した延伸アーム２と、延伸アーム２の前端がＵ型枕本体１の前端で内側向きに捩じ曲げられ、Ｕ型枕本体１と延伸アーム２の内部に設けれた、一体的で捻じ曲げて変形可能な金属定型ホース３と、金属定型ホース３の前端が延伸アーム２の前端から突き出されて接続される携帯電話ホルダー４を含み、携帯電話ホルダー４が後ろ向きに設置され、Ｕ型枕本体１と延伸アーム２の内部に金属定型ホース３が取り囲まれ、充填材で充填されている。金属定型ホース３を骨格とし、Ｕ型枕本体１の片端を前に伸ばして携帯電話を保持し、使用者の頸部と手がリラックスできる。【選択図】図１
0003234644.tif 000002
【実用新案登録請求の範囲】
【請求項１】
開口が前方に向くＵ型枕本体を含む携帯電話ホルダー付き首枕であって、前記Ｕ型枕本体の片端が前方に伸びて延伸アームを形成し、前記延伸アームの前端が当該Ｕ型枕本体の前端から内側向きに捩じ曲げられており、捻じ曲げて変形可能で当該Ｕ型枕本体と延伸アームの内部に一体的に設けられた前記金属定型ホースが設けられ、前記金属定型ホースの前端が前記延伸アームの前端から突き出て前記携帯電話ホルダーの背面に接続され、前記携帯電話ホルダーが後ろ向きに設置され、前記Ｕ型枕本体と前記延伸アームの内部に前記金属定型ホースが取り囲まれる、充填材で充填されていることを特徴とする携帯電話ホルダー付き首枕。
【請求項２】
前記金属定型ホースの後部は、前記Ｕ型枕本体に適応したＵ型捩曲部であり、前記金属定型ホースの前部は内側向きに捩曲した捩曲部であり、前記金属定型ホースの中部は前部と後部を繋いで前記延伸アームに適応して捩曲角度が調節可能な延伸部であることを特徴とする請求項１に記載の携帯電話ホルダー付き首枕。
【請求項３】
前記金属定型ホースの前端と前記携帯電話ホルダーは、ボールジョイントを採用し、回転可能に接続できることを特徴とする請求項１に記載の携帯電話ホルダー付き首枕。
【請求項４】
前記充填材は、顆粒充填材であることを特徴とする請求項１乃至３に記載の携帯電話ホルダー付き首枕。
【請求項５】
前記延伸アームは、後ろから前に向かって段々細くなっていることを特徴とする請求項１乃至３に記載の携帯電話ホルダー付き首枕。
【考案の詳細な説明】
【技術分野】
【０００１】
本実用新案は、家庭用具領域に属するもので、枕に関し、特に携帯電話ホルダー付き首枕に関する。
【背景技術】
【０００２】
枕は人が休む時に頭部と頸部を支えるように形成しており、頸部の損傷を防止する。枕は一般的に家庭環境で使用されており、使用環境の違いによって、また、枕は多様に変形し、例えば、ソファに使用するクッション、冬に抱きかかえて保温機能を兼ねている抱き枕、旅行の時に後ろから頸部を包み込むＵ型首枕などがある。今のＵ型首枕は、通常、車、船、飛行機などの交通機関を利用する際、座席に座ったまま使用することで、頸部を支える作用を得られる。携帯電話の進化に伴い、交通機関の座席で携帯電話を利用して動画などを視聴する人が増えてきている。この際、通常手で持つことしかできないので、交通機関を利用する過程で、長時間の携帯電話の使用による手、頸部の不調を引き起こしかねない。
【考案の概要】
【考案が解決しようとする課題】
【０００３】
本実用新案は、交通機関を利用する過程で長時間の携帯電話の使用による手、頸部の不調を引き起こすことのない携帯電話ホルダー付きの首枕を提供することを目的とする。
【課題を解決するための手段】
【０００４】
本実用新案は、その技術問題を解決するため、開口が前方に向くＵ型枕本体を含む携帯電話ホルダー付き首枕であって、前記Ｕ型枕本体の片端が前方に伸びて延伸アームを形成し、この延伸アームの前端が当該Ｕ型枕本体の前端から内側向きに捩じ曲げられており、捻じ曲げて変形可能でＵ型枕本体と延伸アームの内部に一体的に設けられる金属定型ホースが設けられ、前記金属定型ホースの前端が延伸アームの前端から突き出て携帯電話ホルダーの背面に接続され、前記Ｕ型枕本体と延伸アームの内部は金属定型ホースを取り囲むように充填材が充填されていることを特徴とする携帯電話ホルダー付き首枕を採用する。
金属定型ホースは捩曲げて調節可能で、捩曲げ後、定型を維持可能な調節チューブである。本装置は金属定型ホースをＵ型枕本体と延伸アームの骨格とし、使用時に人の頸部を座席に寄りかからせたときに、Ｕ型枕本体及び内部の金属定型ホースを押し付けることで、延伸アームと内部の金属定型ホースを前向きに張り出させて設置された状態を維持することができ、携帯電話の重量による延伸アームが垂れ下がることを防止できる。
本装置は、携帯電話の枕本体に対する位置を調節し安定させることで、交通機関を利用する際に座席に寄りかかって携帯電話を利用して動画を視聴することができる。また、手で持つ必要がなく、使用者の頸部と手がリラックスでき、長時間の携帯電話の使用による手と頸部の不調を防止することができる。
【０００５】
好ましくは、前記金属定型ホースの後部は、Ｕ型枕本体に適応したＵ型形状の捩曲部であり、金属定型ホースの前部は、内側向きに捩曲した捩曲部であり、金属定型ホースの中部は、前部と後部を繋いで延伸アームに適応して捩曲角度が調節可能な延伸部である。金属定型ホースのＵ型捩曲部は、体形によってＵ型枕本体前方の開け口の幅を調節し、より快適な支えを提供することができ、延伸部は、上下、左右に前端の位置を捩曲の調節ができ、携帯電話のより快適な固定角度を得られる。
【０００６】
好ましくは、前記金属定型ホースの前端と携帯電話ホルダーはボールジョイントを採用する。
【０００７】
好ましくは、前記充填材は顆粒状の充填材である。
【０００８】
好ましくは、前記延伸アームは後ろから前に向かうにつれて段々細くなっている。Ｕ型枕本体と頸部が接触して支えとなり、快適さを担保するために十分な厚さが必要になる。延伸アームの後端とＵ型枕本体は太い部分で接続し、前端は人体に接触せず、内部空間を減らすことで材料を節約することができる。
【０００９】
本実用新案は、金属定型ホースを骨格とし、Ｕ型枕本体の片端を前方に伸ばして携帯電話を装着することにより、使用者の頸部と手がリラックスでき、交通機関を利用する際に座席に寄りかかって携帯電話を利用して動画を視聴することができる。また、手で持つ必要がなく、使用者の頸部と手がリラックスでき、長時間の携帯電話使用による手と頸部の不調を防止することができる。
【図面の簡単な説明】
【００１０】
以下、図面と組み合わせて本実用新案に対して詳細に説明する。
【００１１】
【図１】図１は、本実用新案の構造を示す模式図である。
【考案を実施するための形態】
【００１２】
以下、具体的な実施の形態と図面を組み合わせて本実用新案に対して詳細に説明する。
【００１３】
実施の形態：
図１は、携帯電話ホルダー付き首枕を示している。
本装置は開口が前方に向くＵ型枕本体１と、Ｕ型枕本体１の片端が前方に伸びるように形成した延伸アーム２を含む。延伸アーム２の前端はＵ型枕本体１の前端から内側向きに捩じ曲げられており、捻じ曲げて変形可能で、前記Ｕ型枕本体１と延伸アーム２の内部に一体的に設けられる金属定型ホース３が設けられている。前記金属定型ホース３の後部はＵ型枕本体１に適応したＵ型捩曲部であり、金属定型ホースの前部は内側向きに捩曲した捩曲部であり、金属定型ホースの中部は前部と後部を繋いで延伸アームに適応して捩曲角度が調節可能な延伸部である。
【００１４】
前記金属定型ホース３の前端は延伸アーム２の前端から突き出て携帯電話ホルダー４の背面に接続される。携帯電話ホルダー４は、後ろ向きとなって使用者の顔を向いて設置され、金属定型ホース３の前端と携帯電話ホルダー４は、ボールジョイント５を採用して回転可能に接続できる。Ｕ型枕本体１と延伸アーム２の内部が金属定型ホース３に取り囲まれ、流動性の良い充填材、たとえば発泡ビーズで充填されている。延伸アーム２は後ろから前に向かって段々細くなっており、人体と接触しない位置の材料の容量を減らす。
【００１５】
本装置を使用する際、金属定型ホース３のＵ型捩曲部は体形によってＵ型枕本体１の前方の開口の幅を調節し、より快適な支えを提供できる。延伸部は、上下、左右に前端の位置を捩曲の調節ができ、携帯電話のより快適な固定角度を得られる。また、人の頸部が座席に寄りかかり、Ｕ型枕本体及び内部の金属定型ホースを押し付けることで、延伸アーム２と内部の金属定型ホース３を前向きに張り出させて設置された状態を維持することができ、携帯電話の重量による延伸アーム２が垂れ下がることを防止できる。
【符号の説明】
【００１６】
１…Ｕ型枕本体、２…延伸アーム、３…金属定型ホース、４…携帯電話ホルダー、５…ボールジョイント。
【図１】
0003234644.tif 000003